(57)【要約】      （修正有）【課題】被災者も自力で降りられる防災設備としてロープを繋ぐことが出来、人がぶら下がっても外れることのない安心できる３点支持のロープ支持金具を提供する。【解決手段】金属の板状の金具は３点の穴を備え前記板状の端から２つ目と３つ目の穴の間にＵ字型の金具を差し込む穴を設け、板状の金具の表面からＵ字型の金具を差し込み、裏に突き抜けない様に板状の金具とＵ字型の金具を両面から溶着する。【選択図】図１
0003180858.tif 000002
【実用新案登録請求の範囲】
【請求項１】
既存の建設物の何処にでも取付けられる防災装備としての支持具を提供するものであって、窓やベランダの手が届く外壁の位置に設置するか、また、屋上での壁面や天井面、犬走りなどの床面に装備でき、いざと言うときの災害に、ロープを支持し、人がぶら下がれる防災支持器を提供するものである。
【考案の詳細な説明】
【技術分野】
【０００１】
本発明は、市街地での震災などによる建築物の倒壊や座屈、火災などで屋内から出られないときに、外壁をロープで脱出する防災器具として、外壁や屋上に前もって設置し、災害時にロープを支える支持器を提供する。
【背景技術】
【０００２】
市街地を道路から見れば中高層のビルが立ち並び、地震が多い日本で、中高層ビルでの生活者も多くなり、阪神大震災ではビルの１階や途中階が倒壊している事例もあり、その上層階での自身で生き延びることが出来ても、高所から地上に降り立てる事が出来なければ食料や水が得られず、死と直面する羽目になる、地震災害が来てからではではどうにも成らないので、前もって装備する防災器具としてロープを吊るす事ができる支持具を中高層の建造物に取付が必要で、人命を守る装備として、ロープを垂れさせる支持器がなければロープを垂らすことも出来ません、ロープが垂れることが出来れば、垂直降下器での脱出が出来、瓦礫が転がる地面に飛び降りることもなく、地上に降り立ち、食料や水が集まる避難所に震災被害者も自ら行くことが出来なければ、大人口を要する市街地では行政などの救援も伸びづらく、被災した被災者も自らを助ける防災器具が前もって必要なところである。
【先行技術文献】
【特許文献】
【０００３】
【特許文献１】実開昭61-052031号広報
【特許文献２】特開2007-075192号広報
【考案の概要】
【考案が解決しようとする課題】
【０００４】
本案は、地震災害などで建築物が下層階で倒壊や座屈している場合、下層階に下りることが出来ないことから、座屈している建築物の上層階から支援物資の入ってくる避難所がある地上に降りる事ができなければ、建造物の中にある食料や水を使い果たし、運よく救助者が通ってくれるのを待つしかなく、人口が多い市街地で、避難所から離れていれば、多くの被災者を少ない救助者では対応しきれないことから、被災を受けた避難者も自力で地上に立ち避難所へ向かう努力をしなければ建築物の中で食料も得られず餓死するしかないところと考え、被災者も自力で降りられる設備として、ロープ支持金具を震災が来る前に外壁や屋上に取り付けておく必要があり、取り付いていればロープを縛るなり、ロープにフックが付いていれば引っ掛けることが出来、建造物の外にロープが垂らせられ、降下器などで外壁を降りることが出来る。
【課題を解決するための手段】
【０００５】
本案の３点支持金具本体（１）をベランダや窓の外側の手の届く位置に前もって取り付けておき、地震発生で居住しているビルの下方で崩壊や座屈があり、下に降りられないときに、用意していた脱出用のロープを施すことが出来る、3点支持金具本体（１）は、本体を形成する板状の金具の両端からボルト2個分入ったところに穴を設け、穴と穴の中間点に穴を設けた穴を外壁に取付けるための穴とし、どちらか一方の端から1個目と2個目の穴の中間にロープを固定するためのＵ字金具の取付穴を2つ設け、Ｕ字金具を差し込み、板状の金具を突き抜けないように溶着させ、Ｕ字金具を差し込んだ面とＵ字金具とを溶着させることで、人がぶら下がっても外れない強度を持った3点支持金具本体（１）を形成し、構造物にアンカーピンを打って取り付けるか、構造物に貫通穴を設け、縫い付けるか、構造物に螺子を切って取付ける等の方法を用いて設置し、かねてから用意されたロープなどの防災具を設置する器具を提供することに在る。
【考案の効果】
【０００６】
高所で生活する人が増え、阪神淡路大震災のような災害が起き、建物が座屈や倒壊にあっても、ロープ支持金具を前もって設置し、用意されたロープをベランダや窓の外側に垂らせる事ができ、被災後の瓦礫が転がる路面に飛び降りなくても降りられるように、降下器が使用できる設備としての防災ロープ支持器を設けることにある。
【図面の簡単な説明】
【０００７】
【図１】防災ロープ支持器本体図
【図２】3点支持器解体図
【考案を実施するための形態】
【０００８】
板状の土台に両端からボルト2個分内側に穴を設け、穴と穴の中間にも穴を開け、外壁に取り付ける取付け穴とし、どちらかの外壁取付け穴の中間にロープなどを支持するＵ字の金具を取付けるための穴を2つ設け、設けた穴にＵ字の金具を差し込んで、板の裏に突き出ない位置でＵ字の金具と板状の金具を溶着させ、また、Ｕ字の金具を差し込んだ面も板状の金具とＵ字の金具の接点を溶着させることで、一体化し、強度のある支持金具を形成し、窓やベランダから手が届く位置の外壁にアンカーピンやボルトの縫いつけ等で設置し、災害時に使用できる防災具として提供する。
【実施例】
【０００９】
３点支持金具本体（１）は、建造物が既存である場合、アンカーピンやボルトを持ってどこでも取付けられ、災害時を想定した経路が構築でき、取付けてあれば、災害時に慌てることがなく、用意していたロープを吊るし、降下する道具が設置でき、災害時の人命を守ることが出来る防災装置である。
【産業上の利用可能性】
【００１０】
市街地を見れば、戦後とは違い、道路の脇には中高層のビルが立ち並び、道路から見れば断崖絶壁の地形に変貌し、人々の生活も高所での仕事や生活に変わったことで、震災などで建物が倒壊したり、座屈するとエレベーターや階段は機能を失い、上層階で震災を受けて助かっても、建造物が座屈すれば階段は使えず、下に下りることもままならず、震災を受けた後では、人々は避難所に行かなければ、避難所を開設した後では、避難所から遠ければ、来る人も少なく、消防や警察も被災者が多いことや道路などの瓦礫でくることも出来ない状態になるだろうと予想され、運よく来たとしても、しご車も少ないことから、食料や水を使い果たせば、餓死や水分不足で死に迫られるやも知れず、被災者も自力で地上に降り立ち、避難所へ行ける手段を震災前に装備できなければ、将来の生活がないところです。
【符号の説明】
【００１１】
１  ３点支持金具本体
２  本体取り付け穴
３  ロープ留め金
【図１】
0003180858.tif 000003
【図２】
0003180858.tif 000004
【手続補正書】
【提出日】平成24年11月7日(2012.11.7)
【手続補正１】
【補正対象書類名】実用新案登録請求の範囲
【補正対象項目名】全文
【補正方法】変更
【補正の内容】
【実用新案登録請求の範囲】
【請求項１】
金属の板状の金具は３点の穴を備え前記板状の端から2つ目と３つ目の穴の間にU字型の金具を差し込む穴を設け、板状の金具の表面からU字型の金具を差し込み、裏に突き抜けない様に板状の金具とU字型の金具を両面から溶着したことを特徴とする防災３点支持のロープ支持金具。